(57)【特許請求の範囲】
【請求項１】
リーダに昇降可能に設けたロッド回転駆動装置により鋼管杭を回転させながらを地中に押し込む鋼管杭施工機において、前記ロッド回転駆動装置は、ロッドの角軸部に係合してロッドを回転しかつロッドの上下方向の移動が可能なロッド挿通孔を上部に、ロッドのチャック溝に係合してロッドの上下方向の移動を規制するチャック機構を下部にそれぞれ有し、前記ロッドは、前記角軸部と前記チャック溝とを上下に形成した組を、上下２段に配していることを特徴とする鋼管杭施工機。
【発明の詳細な説明】
【０００１】
【発明の属する技術分野】
本発明は、鋼管杭施工機に関する。
【０００２】
【従来の技術】
従来の鋼管杭施工機は、図６乃至図８に示されるように、リーダ１に昇降可能に設けたロッド回転駆動装置２の下方に突出する出力軸３に、鋼管杭４の頭部に接続されるキャップロッド５を連結し、鋼管杭４を回転させながらロッド回転駆動装置２を下降させて鋼管杭４を地中に押し込む。ロッド回転駆動装置２がリーダ１の下端迄下降したら、鋼管杭４の頭部を地中の所定の深さ迄埋設するために、出力軸３とキャップロッド５の連結を解除し、ロッド回転駆動装置２を少し上昇させて、出力軸３とキャップロッド５の間にヤットコロッド６を連結して、再び鋼管杭４を回転させながらロッド回転駆動装置２を下降させて鋼管杭４を地中に押し込む。
【０００３】
【発明が解決しようとする課題】
このため、鋼管杭１本毎にヤットコロッドの取り付けと、施工後の取り外しが必要で手間が掛かり作業効率がよくない。また、ヤットコロッドの重量が重く、人力で持ち上げることができないため、ウインチ等の動力が必要であった。さらに、最初からヤットコロッドを連結した状態にすると、ロッド回転駆動装置をリーダの最上部迄上昇させても、ヤットコロッドの長さがあるため、地面から鋼管杭の頭部迄の距離が短くなり、それに伴い打設する鋼管杭の長さも短くなる。これを解決するためにはリーダを上に延ばすしかなく、機械の安定からより大型な機械が必要となる。
【０００４】
そこで本発明は、作業効率の向上と、リーダを延ばすことなく鋼管杭の長さを確保することができる鋼管杭施工機を提供することを目的としている。
【０００５】
【課題を解決するための手段】
上記の目的を達成するため、本発明は、リーダに昇降可能に設けたロッド回転駆動装置により鋼管杭を回転させながらを地中に押し込む鋼管杭施工機において、前記ロッド回転駆動装置は、ロッドの角軸部に係合してロッドを回転しかつロッドの上下方向の移動が可能なロッド挿通孔を上部に、ロッドのチャック溝に係合してロッドの上下方向の移動を規制するチャック機構を下部にそれぞれ有し、前記ロッドは、前記角軸部と前記チャック溝とを上下に形成した組を、上下２段に配していることを特徴としている。
【０００６】
【発明の実施の形態】
以下、本発明を、図１乃至図５に示す実施形態例に基づいて詳細に説明する。鋼管杭施工機１０は、下部走行体１１に上部旋回体１２を有し、上部旋回体１２のフロントブラケット１３にリーダ１４を俯仰可能に立設し、リーダ１４にロッド回転駆動装置１５を昇降可能に設けている。
【０００７】
該ロッド回転駆動装置１５は、ロッド１６の角軸部１６ａに係合してロッド１６を回転するロッド挿通孔１５ａを形成した出力軸１５ｂを上部に、ロッド１６のチャック溝１６ｂに係合してロッド１６の上下方向の移動を規制するチャック機構１５ｄを下部にそれぞれ有し、さらに、前記出力軸１５ｂを回転駆動する駆動モータ１５ｃを有している。
【０００８】
前記ロッド１６は、前記角軸部１６ａと前記チャック溝１６ｂとを上下に形成した組を、上部と下部の２段に配しており、下端に鋼管杭１７の頭部に接続されるキャップロッド１８を連結している。
【０００９】
このように構成された鋼管杭施工機１０は、図２に示されるように、前記ロッド挿通孔１５ａに挿通した前記ロッド１６下部のチャック溝１６ｂに前記チャック機構１５ｄを係合して、前記ロッド回転駆動装置１５を前記リーダ１４の最上部に上昇させ、前記キャップロッド１８で鋼管杭１７の頭部を把持し、前記出力軸１５ｂを回転駆動して鋼管杭１７を回転させながらロッド回転駆動装置１５を下降させて鋼管杭１７を地中に押し込む。
【００１０】
そして、図３に示されるように、ロッド回転駆動装置１５がリーダ１４の最下端のストロークエンド迄下降したら、前記チャック機構１５ｄと前記ロッド１６下部のチャック溝１６ｂとの係合を解除し、図４に示されるように、ロッド回転駆動装置１５を少し上昇させて、前記ロッド１６上部のチャック溝１６ｂに前記チャック機構１５ｄを係合し、再び前記出力軸１５ｂを回転駆動して鋼管杭１７を回転させながらロッド回転駆動装置１５を下降させて鋼管杭１７を地中に押し込む。
【００１１】
これにより、図５に示されるように、鋼管杭１７の頭部は地中の所定の深さ迄埋設される。埋設作業が完了したら、前記キャップロッド１８と鋼管杭１７の接続を解除してロッド回転駆動装置１５を上昇させる。
【００１２】
したがって、従来のようなヤットコロッドの取り付け・取り外しを行う必要がなくなり、前記チャック機構１５ｄによるロッド１６へのチャック位置の変更だけでよいから、作業効率の向上が図れる。また、作業開始時の前記ロッド回転駆動装置１５を前記リーダ１４の最上部に上昇させたときには、チャック機構１５ｄがロッド１６下部のチャック溝１６ｂに係合しているから、ロッド回転駆動装置１５と鋼管杭１７の頭部との距離が短く、リーダ１４を延ばすことなく鋼管杭１７の長さを確保することができる。
【００１３】
【発明の効果】
以上説明したように、本発明の鋼管杭施工機は、リーダに昇降可能に設けられて、鋼管杭を回転させながらを地中に押し込むロッド回転駆動装置が、ロッドの角軸部に係合してロッドを回転しかつロッドの上下方向の移動が可能なロッド挿通孔を上部に、ロッドのチャック溝に係合してロッドの上下方向の移動を規制するチャック機構を下部にそれぞれ有し、ロッドが角軸部とチャック溝とを上下に形成した組を、上下２段に配しているので、チャック機構によるロッドへのチャック位置の変更だけで、鋼管杭の頭部を地中の所定の深さ迄埋設することができ、作業効率の向上が図れる。また、リーダを延ばすことなく鋼管杭の長さを確保することができる。
【図面の簡単な説明】
【図１】  本発明のロッド回転駆動装置の一実施形態例を示す断面図である。
【図２】  同じく鋼管杭施工機の側面図である。
【図３】  ロッド回転駆動装置をリーダの最下端迄下降させた状態を示す図である。
【図４】  ロッド回転駆動装置を上昇させてチャック機構によるチャック位置をロッド上部のチャック溝に係合させた状態を示す図である。
【図５】  鋼管杭の頭部を地中の所定の深さ迄埋設した状態を示す図である。
【図６】  従来の鋼管杭施工機のロッド回転駆動装置をリーダの最下端迄下降させた状態を示す図である。
【図７】  従来の鋼管杭施工機のロッド回転駆動装置にヤットコロッドを連結した状態を示す図である。
【図８】  従来の鋼管杭施工機により鋼管杭の頭部を地中の所定の深さ迄埋設した状態を示す図である。
【符号の説明】
１０…鋼管杭施工機、１４…リーダ、１５…ロッド回転駆動装置、１５ａ…ロッド挿通孔、１５ｄ…チャック機構、１６…ロッド、１６ａ…角軸部、１６ｂ…チャック溝、１７…鋼管杭、１８…キャップロッド
【図１】
0003738130.tif 000002
【図２】
0003738130.tif 000003
【図３】
0003738130.tif 000004
【図４】
0003738130.tif 000005
【図５】
0003738130.tif 000006
【図６】
0003738130.tif 000007
【図７】
0003738130.tif 000008
【図８】
0003738130.tif 000009